(57)【要約】【課題】  テロップのロゴの表示設計が容易な作画装置を提供する。【解決手段】  作画装置６の作画情報処理部２は、データベース３のパタンテーブル３１にテロップに用いたロゴの縮小率や、テロップのプロファイルを記憶し、後から同じロゴを新たなテロップ作成に用いる時、パタンテーブル３１を読み出して新しく設計するテロップのプロファイル等と比較参照してテロップ編集に再利用する。【選択図】  図１
2007028422.tif 000002
【特許請求の範囲】
【請求項１】
テレビ放送のテロップ画面を作成する作画装置において、
キーボードやマウスの入力手段、記憶媒体、または自らに接続される通信手段から入力されるテロップ画面に表示されるロゴの名称とその画像ファイル、およびテロップ画面を編集する為のデータおよびコマンドをデータベース部と作画情報処理部へ出力する作画情報入力部と、
前記入力された前記ロゴの画像ファイルとそのロゴの名称とをリストにして記憶するリストテーブルと、前記表示されるロゴが画面上に設定され前記テロップ画面を編集するテンプレートと、前記テンプレートに表示される前記ロゴの名称とそのロゴの表示位置、およびサイズ情報が書き込まれたパタンテーブルとを備えるデータベース部と、
前記入力される前記データ、および前記コマンドにより表示したいロゴとして前記リストテーブルを検索して選択した第１のロゴを前記テンプレートに設定して編集した第１のテロップ画面を第１のテンプレートとして前記データベース部に書き込み記憶し、第２の前記テロップ画面を編集する場合、前記記憶された前記第１のテンプレートに対応する第１の前記パタンテーブルを検索し、第２の前記テロップ画面に表示したい前記ロゴの名称が前記第１のパタンテーブルに書き込まれた前記第１のロゴ名称と一致する場合、前記第１のパタンテーブルに書き込まれた前記第１のロゴのサイズ情報を読み出して前記第２の前記テロップ画面に対応する第２のテンプレート上に当該ロゴを設定する編集を行う作画情報処理部とを
具備することを特徴とする作画装置。
【請求項２】
前記パタンテーブルには、更に、前記表示されるロゴの画面構成によりタイプ分けされるプロファイル情報が書き込まれ、
前記作業情報処理部は、第２の前記テロップ画面に表示する前記ロゴ名称が前記第１のパタンテーブルに書き込まれた前記第１のロゴ名称と一致する場合、前記前記第１のパタンテーブルに書き込まれた前記プロファイルのタイプと、前記第２のテンプレートに適用されるタイプとを比較し、同じタイプである場合、前記第１のロゴサイズ情報を前記第２のテンプレートに設定し、異なる場合、前記第１のロゴサイズ情報を予め定められた補正条件に従って修正して前記第２のテンプレートに設定する
ことを特徴とする請求項１に記載の作画装置。
【請求項３】
前記プロファイルのタイプは、前記テロップに並んで表示されるロゴの列の数により分類され、前記表示サイズは、前記ロゴの列の数に反比例するように補正されることを特徴とする請求項２に記載の作画装置。
【請求項４】
前記編集中の前記テンプレートで表示される前記ロゴの表示位置に、前記作画情報入力から表示したいロゴ名称で使用されている文字情報が入力された場合、前記前記作業情報処理部は、前記リストテーブルを検索して表示するロゴ名称の画像ファイルを読み出し、前記編集中の前記テンプレートで表示されるロゴの候補として前記ロゴの表示位置に表示することを特徴とする請求項１に記載の作画装置。
【請求項５】
前記前記リストテーブルを検索して表示するロゴ名称の画像ファイルを読み出してロゴ表示の候補として前記ロゴの表示位置に表示する場合、前記検索プログラムは、更に前記パタンテーブルを検索して、前記候補が見つかった場合、前記パタンテーブルに書き込まれている当該候補のロゴのサイズ情報を適用して前記表示することを特徴とする請求項４に記載の作画装置。
【請求項６】
テレビ放送のテロップ画面を作成する作画装置のテロップ編集方法において、
前記作画装置は、作画情報入力部と、データベース部と、作画情報処理部とを具備し、
前記作画情報入力部は、
自らが備えるキーボードやマウスの入力手段、記憶媒体、または自らに接続される通信手段から入力されたテロップ画面に表示されるロゴの名称とその画像ファイル、およびテロップ画面を編集する為のデータおよびコマンドをデータベース部と作画情報処理部へ出力し、
前記作画情報入力部から前記ロゴの画像ファイルとそのロゴの名称とを入力されたデータベース部は、
前記入力された前記ロゴの画像ファイルとそのロゴの名称とをリストテーブルにして記憶し、また、前記入力されたロゴを画面上に設定され前記テロップ画面を編集したテンプレートを記憶し、かつ前記テンプレートに表示される前記ロゴの名称とそのロゴの表示位置、およびサイズ情報とをパタンテーブルにして書き込み記憶し、
前記作画情報入力部から前記データおよび前記コマンドを前記入力された前記作画情報処理部は、
表示したいロゴとして前記リストテーブルを検索して選択した第１のロゴを前記テンプレートに設定して編集した第１のテロップ画面を第１のテンプレートとして前記データベース部に書き込み記憶し、第２の前記テロップ画面を編集する場合、前記記憶された前記第１のテンプレートに対応する第１の前記パタンテーブルを検索し、第２の前記テロップ画面に表示したい前記ロゴの名称が前記第１のパタンテーブルに書き込まれた前記第１のロゴ名称と一致する場合、前記第１のパタンテーブルに書き込まれた前記第１のロゴのサイズ情報を読み出して前記第２の前記テロップ画面に対応する第２のテンプレート上に当該ロゴを設定する編集を行う
ことを特徴とする作画装置のテロップ編集方法。
【請求項７】
前記パタンテーブルには、更に、前記表示されるロゴの画面構成によりタイプ分けされるプロファイル情報が書き込まれ、
前記作業情報処理部は、第２の前記テロップ画面に表示する前記ロゴ名称が前記第１のパタンテーブルに書き込まれた前記第１のロゴ名称と一致する場合、前記前記第１のパタンテーブルに書き込まれた前記プロファイルのタイプと、前記第２のテンプレートに適用されるタイプとを比較し、同じタイプである場合、前記第１のロゴサイズ情報を前記第２のテンプレートに設定し、異なる場合、前記第１のロゴサイズ情報を予め定められた補正条件に従って修正して前記第２のテンプレートに設定する
ことを特徴とする請求項６に記載の作画装置のテロップ編集方法。
【請求項８】
前記プロファイルのタイプは、前記テロップに並んで表示されるロゴの列の数により分類され、前記表示サイズは、前記ロゴの列の数に反比例するように補正されることを特徴とする請求項７に記載の作画装置のテロップ編集方法。
【請求項９】
前記編集中の前記テンプレートで表示される前記ロゴの表示位置に、前記作画情報入力から表示したいロゴ名称で使用されている文字情報が入力された場合、前記前記作業情報処理部は、前記リストテーブルを検索して表示するロゴ名称の画像ファイルを読み出し、前記編集中の前記テンプレートで表示されるロゴの候補として前記ロゴの表示位置に表示することを特徴とする請求項６に記載の作画装置のテロップ編集方法。
【請求項１０】
前記前記リストテーブルを検索して表示するロゴ名称の画像ファイルを読み出してロゴ表示の候補として前記ロゴの表示位置に表示する場合、前記検索プログラムは、更に前記パタンテーブルを検索して、前記候補が見つかった場合、前記パタンテーブルに書き込まれている当該候補のロゴのサイズ情報を適用して前記表示することを特徴とする請求項９に記載の作画装置のテロップ編集方法。
【発明の詳細な説明】
【技術分野】
【０００１】
本発明は、テレビ放送のテロップを作成する作画装置およびそのテロップ編集方法に関する。
【背景技術】
【０００２】
テレビ番組で、番組提供者（スポンサー）を表示する場合、スポンサーである企業や団体の名称は、意匠登録された画像情報（ロゴ）と文字情報の組合せのテロップにより表示されることが多い。テロップは、複数企業名を順番に表示するなど、複雑な表示手順が要求されるので複数のテロップを送出する際にその順番を記憶させるような方法も考案されている（例えば、特許文献１。）。
【０００３】
しかし、テロップで用いられるロゴは、意匠登録の条件などから画面上に表示される文字サイズが異なっても、アスペクト、場合によっては色表示等を変えることなく画面表示しなければならない。説明文等の文字データと異なり、複数の企業や団体を表示する場合には、それら複数のロゴの間の表示されるサイズのバランスを揃えることも必要である。
【０００４】
また、テロップを表示する背景画面に応じてロゴ表示の大きさが変える場合もあり、テロップ作成毎に画面の表示条件に応じてロゴ表示には複雑な設定手順に従って処理するため、都度ロゴ表示画面を設計しなければならない問題が有った。
【特許文献１】実公平７−４１２６１号公報  （第５頁、第２図）
【発明の開示】
【発明が解決しようとする課題】
【０００５】
複数の企業や団体名称のロゴを同一画面に表示したり、テロップを表示する背景画面に応じてロゴ表示の大きさが変えるなど画面の表示条件に応じてロゴ表示のサイズ管理には複雑な設定手順が要求され、都度ロゴ表示画面を設計しなければならない問題があった。
【０００６】
本発明は上記問題を解決するためになされたもので、テロップのロゴの表示設計が容易な作画装置およびそのテロップ編集方法を提供することを目的とする。
【課題を解決するための手段】
【０００７】
上記目的を達成するために、本発明の作画装置は、テレビ放送のテロップ画面を作成する作画装置において、キーボードやマウスの入力手段、記憶媒体、または自らに接続される通信手段から入力されるテロップ画面に表示されるロゴの名称とその画像ファイル、およびテロップ画面を編集する為のデータおよびコマンドをデータベース部と作画情報処理部へ出力する作画情報入力部と、前記入力された前記ロゴの画像ファイルとそのロゴの名称とをリストにして記憶するリストテーブルと、前記表示されるロゴが画面上に設定され前記テロップ画面を編集するテンプレートと、前記テンプレートに表示される前記ロゴの名称とそのロゴの表示位置、およびサイズ情報が書き込まれたパタンテーブルとを備えるデータベース部と、前記入力される前記データ、および前記コマンドにより表示したいロゴとして前記リストテーブルを検索して選択した第１のロゴを前記テンプレートに設定して編集した第１のテロップ画面を第１のテンプレートとして前記データベース部に書き込み記憶し、第２の前記テロップ画面を編集する場合、前記記憶された前記第１のテンプレートに対応する第１の前記パタンテーブルを検索し、第２の前記テロップ画面に表示したい前記ロゴの名称が前記第１のパタンテーブルに書き込まれた前記第１のロゴ名称と一致する場合、前記第１のパタンテーブルに書き込まれた前記第１のロゴのサイズ情報を読み出して前記第２の前記テロップ画面に対応する第２のテンプレート上に当該ロゴを設定する編集を行う作画情報処理部とを具備することを特徴とする。
【０００８】
また、本発明の作画装置のテロップ編集方法は、テレビ放送のテロップ画面を作成する作画装置のテロップ編集方法において、前記作画装置は、作画情報入力部と、データベース部と、作画情報処理部とを具備し、前記作画情報入力部は、自らが備えるキーボードやマウスの入力手段、記憶媒体、または自らに接続される通信手段から入力されたテロップ画面に表示されるロゴの名称とその画像ファイル、およびテロップ画面を編集する為のデータおよびコマンドをデータベース部と作画情報処理部へ出力し、前記作画情報入力部から前記ロゴの画像ファイルとそのロゴの名称とを入力されたデータベース部は、前記入力された前記ロゴの画像ファイルとそのロゴの名称とをリストテーブルにして記憶し、また、前記入力されたロゴを画面上に設定され前記テロップ画面を編集したテンプレートを記憶し、かつ前記テンプレートに表示される前記ロゴの名称とそのロゴの表示位置、およびサイズ情報とをパタンテーブルにして書き込み記憶し、前記作画情報入力部から前記データおよび前記コマンドを前記入力された前記作画情報処理部は、表示したいロゴとして前記リストテーブルを検索して選択した第１のロゴを前記テンプレートに設定して編集した第１のテロップ画面を第１のテンプレートとして前記データベース部に書き込み記憶し、第２の前記テロップ画面を編集する場合、前記記憶された前記第１のテンプレートに対応する第１の前記パタンテーブルを検索し、第２の前記テロップ画面に表示したい前記ロゴの名称が前記第１のパタンテーブルに書き込まれた前記第１のロゴ名称と一致する場合、前記第１のパタンテーブルに書き込まれた前記第１のロゴのサイズ情報を読み出して前記第２の前記テロップ画面に対応する第２のテンプレート上に当該ロゴを設定する編集を行うことを特徴とする。
【発明の効果】
【０００９】
本発明によれば、一度テロップ表示に用いたロゴ表示のサイズ修正率等を記憶して再利用することにより、テロップのロゴの表示設計が容易な作画装置およびそのテロップ編集方法を提供することが出来る。
【発明を実施するための最良の形態】
【００１０】
以下、図面を参照して本発明の実施例を説明する。
【実施例１】
【００１１】
図１は、本発明の実施例１に係る作画装置６の機能構成を示すブロック図である。
【００１２】
図１において作画装置６は、それぞれが内部バス等で接続された作画情報入力部１と、作画情報処理部２と、データベース部３と、モニタディスプレイ４と、通信Ｉ／Ｆ（インタフェース）部５とを備えている。また、作画装置６には、プリンタ７が含まれることもある。作画情報入力部１は、ロゴ作成のためのデータやコマンドが入力されるキーボード１１（以下、記述を省略するが、図示しないマウスが含まれても良い。）、スキャナ１２、また、予め外部装置（図示せず。）との間でロゴ作成のためのデータ等を入出力する、例えば、ＭＯ（光磁気ディスク）ドライバの様な記憶媒体入出力部１３を備えている。また、ロゴ作成のためのデータは、外部装置から通信Ｉ／Ｆ部５を介して入力されても良い。
【００１３】
作画入力処理部２は、作画装置６のオペレータによって上記のいずれかの手段により入力されたデータからテロップを生成してモニタディスプレイ４に表示する処理、および作画情報入力部１やモニタディプレイ４、通信Ｉ／Ｆ５との間の入出力制御を行う。
【００１４】
また作画入力処理部２は、テンプレートに表示するロゴの配置やサイズ制御のするロゴ処理プログラム２１、およびロゴデータの検索を行う検索プログラム２２を備え、データベース部３が内部に備えるテンプレート３０、およびパタンテーブル３１、リストテーブル３２の各テーブルとの間でデータを書き込み、読み出しのデータ記憶処理を行う。
【００１５】
即ち、作画装置６では、オペレータがキーボード１１等から入力する記憶コマンドによりそのテロップを生成した時のロゴの記載位置や並べ方の画面構成（プロファイル）等が設定されたテンプレート３０、およびロゴの種類やサイズ等の情報が組み合わされたパタンデータがパタンテーブル３１（＃１、…）としてデータベース部３に書き込み記憶される。
【００１６】
そして、次回のテロップ作成時には、作画情報処理部２の検索プログラム２２がこのデータベース部３から、リストテーブル３２を読み出して、例えば、パタンテーブル３１（＃１）を再び作画情報処理部２が読み出して再利用して編集する。そして、ロゴ処理プログラム２１が作業情報入力部１のキーボード１１からオペレータにより入力された修正コマンドや追加データを処理してロゴのサイズ修正を初めとするテロップの表示設計を容易にしている。
【００１７】
図２は、オペレータのコマンドにより作画情報処理部２が編集したテロップの画面の例、図３は、その画面を編集するための編集画面、即ち、テンプレート３０（＃１）の例、図４は、図２のテンプレート３０（＃１）に対応するパタンテーブル３１（＃１）の例である。  
以下、図２〜図４を参照してテンプレートの作成処理の例を説明する。  
図２において、画面両側の黒く塗られた部分はテレビジョンのワイド画面に対応する画面幅を示す領域であるが、テロップは、画面の上部から「提供」と、ドラマ番組のスポンサー名「ＡＢＣカンパニー」、「裕福銀行」が表示される。「提供」は、放送局が自ら、番組毎などで準備するタイトル文字のロゴであって、幾つか準備された「提供」の１番目の種類のロゴであるので「提供１」の名称が与えられている。この「提供１」のロゴは、例えば、作画情報処理部２のロゴ処理プログラムが備えるコンピュータグラフィック機能により作成された画像データファイルになってデータベース部３に記憶されている。
【００１８】
また、「ＡＢＣカンパニー」、「裕福銀行」は、両社からロゴ画像原稿が提供され、オペレータがその画像をスキャナ１２で読み取って作成した画像ファイルが、それぞれ「ＡＢＣカンパニー」、「裕福銀行」の名前でデータベース部３に書き込み記憶されている。これら記憶されたロゴの画像ファイルの名称（以下、ロゴ名称と称する。）は、データベース３のリストテーブル３２上に登録、記憶されている。
【００１９】
図３は、テンプレート３０（＃１）のロゴの構成、表示位置、サイズ情報（パラメータ）を示しており、そのパラメータの組合が表にされている図４のパタンテーブル３１（＃１）との関係を以下に説明する。また、以下特に断らない限り、以下の処理は、作画情報処理部２のロゴ処理プログラム２１によって実行される。
【００２０】
図３において、テンプレート３０（＃１）には、「画角」の情報表示、「提供」、「ＡＢＣカンパニー」の３つのロゴ表示枠と、「枠」により表示枠のサイズのパラメータ表示、および「作画情報設定」、「拡大」「等倍」「縮小」の画面ボタンが表示される。また、図３では、「提供」のロゴ表示は入力作業が終了し、反転表示されている「ＡＢＣカンパニー」は編集作業中、枠のみ表示されている部分は、これから入力作業が行われることを示している。「作画情報設定」は、キーボード１１のエンターキーに相当し、画面ボタンを操作して核パラメータを設定後、確定する時にオペレータが押す画面ボタンである。
【００２１】
図３において、図２のテロップのテンプレート３０（＃１）は、パタンテーブル３１（＃１）に示される各ロゴの表示枠の位置、構成（名称）、表示サイズのパラメータが設定される。先ず、そのロゴの表示枠の中心は、左右は中央、上下は、例えば、等間隔の様な表示に好ましい間隔を置いて画面に表示される。そして、作画情報処理部２のロゴ処理プログラム２１は、テンプレート上のロゴの表示枠の左右上下の中心位置、およびプロファイルを示すパラメータを図４のパタンテーブル３１（＃１）に自動的に入力する。
【００２２】
図４のパタンテーブル３１（＃１）では、一番上のロゴの表示枠の表示位置は、「Ａ００」が示され、「Ａ」に続く「０」は左右の中央を示し、それに続く「０」は開始行（一番上の行）の位置を示す。同様に、２番目、３番目の表示枠には、「表示位置」が、「Ａ０１５」、「Ａ０３５」と示され、左右は中央を示す「０」、また、上下は、上下の相対的な関係で上から２番目の位置を表す「１５」。「３５」で与えられている。
【００２３】
また、図４において、「プロファイル」は、後述する既に作成されたテンプレートに用いられたロゴ表示を利用する場合、その縮小率を修正するために用いられる。ここでは、「プロファイル」が、１画面で表示されるロゴの列の数をパラメータにして設定されている場合を説明している。「タイプ１」はスポンサー名のロゴが縦に１列の行で表示されることを示し、２列で表示される場合には「タイプ２」となる。
【００２４】
作画情報処理部２のロゴ処理プログラム２１は、作成中のテンプレート３０と、データベース部３から読み出して利用しているテンプレーｔｐトの「プロファイル」を比較参照して、異なる場合には、作成中のテンプレート上のロゴ表示の縮小率をさらに修正する。
【００２５】
パタンテーブル３１は、画面ボタンによりテンプレート３０を編集する際に自動的に作成されるが、オペレータがキーボード１１から、例えば「ＰＴＮＴＢＬ」の様なパタンテーブルを表示するコマンドを入力して、その表示項目についてキーボード１１から所要の文字や数値等を入力して作成することも出来る。
【００２６】
さて、ロゴ名称は、データベース部３のリストテーブル３２に記憶されており、所要の表示枠にロゴ名を設定する場合、リストテーブル３２表示のコマンド、例えば、「ＤＳＰＬＳＴＴＢ」を作画入力処理部１のキーボード１１から入力して検索プログラム２２を起動してモニタディスプレイ４に一度表示させる。
【００２７】
図５は、リストテーブル３２の例である。図５において、ロゴ名称の「所属」として、用途の「編集用」または、企業名にあたる「ＡＢＣ社」が記載される。また、「ロゴ名称」として「提供１〜提供５」、「ＡＢＣカンパニー」、「裕福銀行」等が、また「ロゴ」として「提供」や「ＡＢＣカンパニー」等が所属名やスポンサー名と対応して記載されている。
【００２８】
一番上の表示枠のロゴ「提供」は、スポンサー名では無いが、テロップ用の表示の編集用としてリストテーブル３２に掲載されている。そして、オペレータにより「提供１〜提供５」から標準（デフォルト）設定の「提供１」が番号「１」と、キーボード１１のエンターキーを押すことにより選定される。
【００２９】
内部バスを監視している作画情報処理部２は、その「１」の情報を検出すると、検索プログラム２２を起動してデータベース部３から「提供１」の画像ファイルが読み出し、一番上のロゴ表示枠に「提供」が表示される。この時、サイズは標準サイズで表示するとして「１００」％であることがロゴ処理プログラム２１によってパタンテーブル３１（＃１）に最初に設定される。
【００３０】
同様に、２番目の表示枠の「ＡＢＣカンパニー」は、「ＡＢＣカンパニー」のロゴ名で登録されている画像ファイルが選択され、テンプレート３０（＃１）の上から２つ目の表示枠「Ａ０１５」の位置に表示されるが、オペレータは、表示されたロゴサイズが画面に比べ大きすぎるので、データベース部３に記憶している標準サイズの７０％に設定する。
【００３１】
このロゴサイズの設定は、図３のテンプレート３０（＃１）の画面の「縮小」、「拡大」ボタンを交互に繰り返して押すなどの操作により、ロゴサイズが所要のサイズになった時にキーボード１１のエンターキーを押して確定する。するとロゴ処理プログラム２１は、ロゴの表示枠とリストテーブル３２の当該ロゴの画像ファイルの標準サイズを比較することによりロゴサイズを判読して縮小率「７０％」で有ることをパタンテーブルの「サイズ」欄に書き込む。このロゴのサイズは、テンプレート３０の「枠」欄に画面サイズに対する相対的な数値として表示される。この数値は、図示していないが、パタンテーブル３１のサイズ欄と連動して書き込み記憶されても良い。
【００３２】
また、サイズを設定する別の方法として、オペレータがキーボード１１から、「枠」のロゴ表示パラメータの数字を入力して変更しても良い。その場合、逆に縮小率が標準サイズから計算されてパタンテーブル３１の「サイズ」欄へロゴ処理プログラム２１により書き込まれる。なお、後者の方法の場合、ロゴの縦横のアスペクト比は一定に保たなければならないので、縦横いずれか一方の数値のみを変更することによりロゴ表示は、等角のままズーム拡大縮小される。
【００３３】
更に、３番目の表示枠に設定される「裕福銀行」に付いても、同様に処理が行われ、テンプレート３０（＃１）での表示位置が「Ａ０３５」、ロゴサイズが標準サイズの５０％の縮小率で図４のパタンテーブル３１（＃１）に書き込まれる。
【００３４】
この様に編集されたテロップ画面データ、即ち、ロゴ表示のサイズ（縮小率）、プロファイル等は、テンプレート３０（＃１）のパタンデータ３１（＃１）として、データベース部３に書き込み記憶される。そして、テンプレート３０（＃１）（またはパタンデータ３１（＃１））は、作画情報入力部１からのコマンドにより、記憶媒体入出力部１３から、例えばＭＯディスクにより外部へ出力されるか、または、通信Ｉ／Ｆ５、および図示されないネットワーク等を介して、外部の映像処理サブシステムへ出力される。
【００３５】
さて、本発明の実施例における作画装置６は、データベース部３に記憶されたテンプレート３０（＃１）を利用して新たなテロップを編集することが出来る。
【００３６】
例えば、プロ野球中継放送の様に多数のスポンサーが番組提供を行い、番組終了時などにスポンサー名を一覧表示する様なテロップがある。
【００３７】
図６は、そのプロ野球番組のスポンサー一覧表示のテロップ画面を示す図、図７は、そのテロップ画面を編集するテンプレート３０（＃２）を示す図、図８は、そのテンプレート３０（＃２）に対応するパタンテーブル３１（＃２）を示す図である。
【００３８】
また、図９は、テンプレート３０（＃１）を利用してテンプレート３０（＃２）を作成する手順を説明するフローチャートである。
【００３９】
次に、図１、図６〜図８の画面と図９のフローチャートを用いて、作画装置６の動作の流れを説明する。
【００４０】
オペレータは、新たなテロップを作成する条件として、ここでは、１０社のスポンサー名を一覧表示することが与えられたとする。オペレータは、これらの１０の会社のロゴの映像ファイルが、既にデータベース部３に記憶されているか否かを前述のリスト表示コマンドを入力してリストテーブル３２を表示して調べ、データベース部３のリストテーブル３２に登録されていなければ、その会社のロゴ画像を入手する。そして、オペレータによりスキャナ１２でロゴの画像ファイルが生成され、作画情報処理部２のロゴ処理プログラムは、その画像ファイルをデータベース部３に書き込み記憶する。または新しいロゴの画像ファイルは、オペレータにより、前述の記憶媒体入出力部１３、または通信Ｉ／Ｆ部５を介して入力され、そして作画情報処理部２のロゴ処理プログラムによってデータベース部３に書き込み記憶される。新しいテンプレート３０（＃２）の作成にあたりリストテーブル３２は、必要で有れば以上の更新と設定確認が行われる（図９のステップｓ１）。
【００４１】
続いてオペレータは作画装置６のモニタディスプレイ４を見ながら入力処理部１のキーボード１１から、（必要で有れば図示されないマウス等を併用して）スポンサー名を表示するロゴ表示位置の設定等を行う。そして、作画情報処理部２のロゴ処理プログラムは、テロップの一番上部に「提供」を表示するロゴの表示枠を設定する制御を行い、その下に２列５行で１０社のスポンサー名を表示するロゴの表示枠を設定する等、テンプレートの枠組を作成する（ステップｓ２）。
【００４２】
その結果、例えば、図７において、示されるテンプレート３０（＃２）画面の中央で一番上の「提供」の位置は、「Ａ００」、左列上から１行目のロゴ枠は「Ａ１０」、左列上から５行目のロゴ枠は「Ａ１５」、右列上から１行目のロゴ枠は、「Ａ２１」であることが図６の画面と、図８のパタンテーブル３１（＃２）に記述される。また各ロゴは、テンプレート３０（＃２）上に２列で表示されるので作画情報処理部２のロゴ処理プログラムによって２列表示に対応する「タイプ２」がパタンテーブル３１（＃２）の「プロファイル」へ書き込み記憶される。なお、オペレータがパタンテーブル３１（＃２）表示のコマンドを入力して、モニタディスプレイ４に表示された「プロファイル」の欄へ「タイプ２」をキーボード１１で入力することにより設定しても良い。
【００４３】
更にオペレータは、左側の列の１行目に「ＡＢＣカンパニー」を配置し、左側の列５行目に「にっぽん商会」を並べ、右の列の１行目には「明日を目指すＸＹＺ」等を順にならべる仮設定を始める。即ち、オペレータは、左側の列の１行目に「ＡＢＣカンパニー」のロゴを設定するためにキーボード１１からロゴ名称「ＡＢＣカンパニー」を入力する（ステップｓ３）と、作画情報処理部２の検索プログラム２２は、「ＡＢＣカンパニー」のロゴ名称（画像ファイル）がデータベース３に記憶されていることを見つけ、パタンテーブル３１（＃１）に設定されたロゴ表示の各パラメータを読み出す（ステップｓ４）。
【００４４】
図１０は、「ＡＢＣカンパニー」のロゴ名称が入力されてロゴ表示の各パラメータを読み出す迄の作画装置６のステップｓ４の動作手順を示す詳細フローチャートである。
【００４５】
図１０において、作画情報処理部２のロゴ処理プログラムは、「ＡＢＣカンパニー」のロゴ名称が入力される（図１０のステップｓ３）とデータベース３のリストテーブルｔｐを読み出し（図１０のステップｓ４―１）、そのリスト中に「ＡＢＣカンパニー」のロゴ名称（画像ファイル）が記憶されていることを見つけ（ステップｓ４―２）る。そして、そのロゴが記入されているテンプレートの番号（例えば、＃１、＃ｎ）をモニタディスプレイ４の画面、例えば、図７の下部に、（＃１、＃ｎ）の様に表示する（ステップｓ４−３）。
【００４６】
オペレータは、その番号を、例えば、「１」をキーボード１１により入力（ステップｓ４―４）して選定すると、ロゴ処理プログラム２１により、そのテンプレート３０（＃１）が表示され（ステップｓ４―５）、そのテンプレートを利用する場合（ステップｓ４―６がＹｅｓ）には、「ＯＫ」のコマンドをキーボード１１から更に入力する（ステップｓ４―７）。
【００４７】
ここでは、ロゴ処理プログラム２１が選択されたテンプレート３０（＃１）のパタンテーブル３１（＃１）に設定されたロゴ表示の各パラメータを読み出す（ステップｓ４―８）。
【００４８】
もし、更に別のテンプレートを参照したければ（ステップｓ４―６がＮｏ）、「ＮＯ」のコマンドを入力してから他方の「２」の番号を入力する（ステップｓ４―９）。そしてテンプレート３０（＃２）が表示され（ステップｓ４―１０）テンプレート３０（＃２）のパタンテーブル３１（＃２）に設定されたロゴ表示の各パラメータを読み出す（ステップｓ４―１１）。
【００４９】
再び図９に戻り、作画情報処理部２のロゴ処理プログラム２１は、現在作成中のパタンテーブル３１（＃２）にパタンテーブル３１（＃１）の「ＡＢＣカンパニー」のロゴ表示条件を反映する為に「サイズ」欄の「７０％」と「プロファイル」の「タイプ１」を読み出す。そして、現在作成中の「タイプ２」は、２列表示なので、ロゴのサイズは、タイプ１の場合の半分にしなければならないと判定し（ステップｓ５）、ロゴ表示サイズを３５％にしてテンプレート３０（＃２）の左列１行目に仮表示する（ステップｓ６）。
【００５０】
オペレータは、この表示をモニタディスプレイ４で確認して必要ならサイズを調整してキーボード１１のエンターキーを押してロゴ表示入力を確定する（ステップｓ７）。同様に、１０社全てのロゴ表示を同様に仮設定されたロゴの表示枠に入力して、データベースに当該ロゴデータが記憶されていれば、それを利用して各ロゴの入力を行いテンプレート３０（＃２）上で画面全面（ここでは１０社分）のロゴを入力して表示する（ステップｓ８）。
【００５１】
続いてオペレータは、表示全体のバランス確認等を行うために「ＡＢＣカンパニー」と「明日を目指すＸＹＺ」との表示の並べ具合を観察（ステップｓ９）して、「ＡＢＣカンパニー」の表示を若干大きく変更した方が良いと判断したとする（ステップｓ１０がＹｅｓ）。そして、「拡大」ボタンを押して調整し、サイズ（縮小率）を変更する（ステップｓ１１）。
【００５２】
そして、「ＡＢＣカンパニー」のロゴ表示の縮小率が、ここでは、３５％から３７％になるので、作画情報処理部２のロゴ処理プログラム２１は、パタンテーブル３１（＃２）の「サイズ」欄を「３７」に書き換えてデータベース３に記憶する（ステップｓ１２）。
【００５３】
以上の説明如く、本発明の実施例における作画装置６では最初にテンプレート３０を作成する場合には、表示されるロゴのサイズはリストテーブル３２に記憶されている標準サイズが読み出され、必要に応じてオペレータにより修正され設定される。そして、テンプレート３０（＃２）の様に既に作成された、例えば、テンプレート３０（＃１）で使用されているロゴを再使用する場合には、ロゴ処理プログラム２１はパタンテーブル３１（＃１）と（＃２）の「プロファイル」を比較参照する。そして、「プロファイル」に記述されたタイプが同じであれば、そのままの縮小率で、異なる場合にはタイプに応じて更に縮小率を自動的に変更する。
【００５４】
なお、この「プロファイル」の比較操作を省略して、既に作成されたロゴの縮小率をそのまま適用するモードがあっても良い。このモード設定は、例えば、キーボード１１から「ＰＲＯＦＮＵ」の様なコマンドを入力して設定すればよい。
【実施例２】
【００５５】
実施例２は、ロゴ名称を探し出して入力する処理方法が実施例１と異なるが、それ以外の構成等は実施例１と同様である。
【００５６】
即ち、実施例２では、ロゴ名称を入力する際にリストテーブル３２を読み出すコマンドを用いる代わりに、キーボード１１からロゴの表示枠にロゴ名称、または会社名等リストテーブルに掲載されているロゴ名称、所属欄の会社名称で使用されている文字情報をオペレータが入力する。そして、作画情報処理部２の検索プログラム２２がデータベース部３から該当するロゴの候補を探し出してそのロゴの表示枠へ表示し、オペレータがその候補をキーボード１１等により選択入力する。この検索は、入力されたロゴ名称をリストテーブル３２と比較照合し、一致するロゴ名を候補として表示すれば良い。また、その候補名から選択されたロゴ名称は、実施例１と同様に更にデータベース部３に記憶されている各パタンテーブル３１に連携して照合される。
【００５７】
もし、ロゴ名称の選定が上記のテンプレート３０（＃２）を作成する場合で有ってもロゴ名称の選定後の処理手順は、実施例１と同様で有り、詳細は容易に推測できるので説明を省略する。
【００５８】
以上の説明の如く、本発明の作画装置によれば、過去に作成したテンプレートを利用することによりロゴサイズ変更の設定が面倒なテロップの表示設計を容易に実施することが出来る。
【図面の簡単な説明】
【００５９】
【図１】本発明の実施例に係わる作画装置の機能構成を示すブロック図。
【図２】１列でスポンサー名を表示するテロップの画面の例。
【図３】図２の画面を編集するためのテンプレートの例。
【図４】図２のテンプレートに対応するパタンテーブルの例。
【図５】ロゴ名称（画像ファイル）のリストテーブルテーブルの例。
【図６】２列でスポンサー名を表示するテロップの画面の例。
【図７】図６の画面を編集するためのテンプレートの例。
【図８】図６のテンプレートに対応するパタンテーブルの例。
【図９】図３のテンプレートを利用して新たなテンプレートを作成する手順を説明するフローチャート。
【図１０】図９におけるステップｓ４の手順を説明する詳細フローチャート。
【符号の説明】
【００６０】
１  作画情報入力部
１１  キーボード
１２  スキャナ
１３  記憶媒体入出力部
２  作画情報処理部
３  データベース部
３１  パタンテーブル
４  モニタディスプレイ
５  通信Ｉ／Ｆ（インタフェース）部
６  作画装置
７  プリンタ
ｔｐ  テンプレート
【図１】
2007028422.tif 000003
【図２】
2007028422.tif 000004
【図３】
2007028422.tif 000005
【図４】
2007028422.tif 000006
【図５】
2007028422.tif 000007
【図６】
2007028422.tif 000008
【図７】
2007028422.tif 000009
【図８】
2007028422.tif 000010
【図９】
2007028422.tif 000011
【図１０】
2007028422.tif 000012